(57)【要約】【課題】  スピーカユニットの取付けにより、振動板の歪又はボイスコイルの位置ずれ等が発生するのを防止することを目的とする。【解決手段】  相手側部材の開口縁部とスピーカフレームのフランジ部との間に防水シート部品を挟み、フランジ部から外周方向へ延在する締結部から相手側部材に挿通したねじによって、弾性シート部品を圧縮しながらスピーカを固定するスピーカユニットの取付構造において、締結部には、ねじが挿通する取付孔周辺部の締結面側に突出する突出部が設けられている。【選択図】  図１
2007097070.tif 000002
【特許請求の範囲】
【請求項１】
相手側部材の開口縁部とスピーカフレームのフランジ部との間に弾性シート部品を挟み、該フランジ部から外周方向へ延在する締結部から該相手側部材に挿通した締結部材によって、該弾性シート部品を圧縮しながらスピーカを固定するスピーカユニットの取付構造において、
前記締結部には、前記締結部材が挿通する取付孔周辺部の締結面側に締結歪吸収手段が設けられていることを特徴とするスピーカユニットの取付構造。
【請求項２】
前記締結歪吸収手段は、前記取付孔を囲うように前記締結面側より突出する突出部が前記締結部と一体形成されていることを特徴とする請求項１に記載のスピーカユニットの取付構造。
【請求項３】
前記突出部は、所定の圧力が加わると該突出部が弾性変形もしくは一部が圧壊するように形成されていることを特徴とする請求項１または請求項２の何れかに記載のスピーカユニットの取付構造。
【請求項４】
前記突出部の背面側には、該突出部に所定の圧力が加わると該突出部が弾性変形するように凹部が形成されていることを特徴とする請求項１、請求項２または請求項３の何れかに記載のスピーカユニットの取付構造。
【請求項５】
前記突出部は、舌状の突出部で前記締結部と一体形成されていることを特徴とする請求項１に記載のスピーカユニットの取付構造。
【請求項６】
前記突出部は、前記弾性シート部品が圧縮された状態で前記相手側部材に当接してなることを特徴とする請求項１乃至請求項５の何れかに記載のスピーカユニットの取付構造。
【請求項７】
前記締結歪吸収手段は、前記弾性シート部品と同質で同じ厚みのシート部材で形成されたスペーサであることを特徴とする請求項１に記載のスピーカユニットの取付構造。
【発明の詳細な説明】
【技術分野】
【０００１】
本発明は、スピーカユニットの取付構造に係り、詳細にはスピーカユニットの取付けにより、スピーカフレームや振動板の変形またはボイスコイルの位置ずれなどが発生するのを防止することのできるスピーカユニットの取付構造に関する。
【背景技術】
【０００２】
従来のスピーカユニットの取付構造を図７、図８及び図９を用いて説明する。図７は従来のスピーカユニットの取付構造を示す概略断面図（締結前）である。図８は従来のスピーカユニットの取付構造を示す概略断面図（締結後）である。図９は従来の別のスピーカユニットの取付構造の要部を示す概略断面図で、（ａ）正常状態、（ｂ）異常状態である。
【０００３】
１１はスピーカユニットで、図７で示すように振動板１５、ボイスコイルボビン１７、ダンパ２０、スピーカフレーム３０および磁気回路部２３などにより構成されている。
【０００４】
振動板３０は、略円錐筒状をしており円錐筒の小径部の内周縁部が、ボイスコイルボビン１７の先端部近傍に固着され、円錐筒の大径部の外周縁部には弾性部材で形成されたエッジ１９の内周縁部が接着され、エッジ１９の外周縁部がスピーカフレーム３０の前面開口部に固着される。
【０００５】
ダンパ２０は、混紡部材などが用いられ環状で断面形状が波型に形成された環状の弾性体であり、ダンパ２０の内周縁部を、ボイスコイルボビン１７に挿通して略中央部近傍に固着する。ダンパ２０の外周縁部は、スピーカフレーム３０のダンパ固着部に固着され、ボイスコイルボビン１７を弾性的に保持する。
【０００６】
スピーカフレーム３０は、エッジ２１とダンパ２０の二つの弾性部材で振動板１５を保持する部分は円錐筒状に近い形状をしており、終端部は磁気回路部２３のトッププレートの上面に固着されている。したがって、振動板１５はエッジ１９とダンパ２０の二つの弾性部材によりスピーカフレーム３０の内側に懸垂状態に保持される。また、円錐筒状の外側を囲うように前面開口部より円筒状の防水部３１が形成されており、防水部３１の開口部より外側方向にフランジ部３２が形成され、さらに、フランジ部３２の外周縁部より延在する取付部３３が複数個所（通常３箇所）設けられ相手側部材への取付孔３４が形成されている。
【０００７】
ここで、スピーカユニットの取り付けについて説明する。
【０００８】
スピーカユニット１１を例えば車両のドア内部に取り付ける場合には、図７で示すようにスピーカユニット１１を水滴から保護する防水対策が必要となる。ドアのインナーパネル２５に開口した開口縁部とスピーカフレーム３０のフランジ部３２の開口縁部との間に、防水シート２４を挟み、フランジ部３２の外周縁部より延在する取付部３３の取付孔３４からインナーパネル２５に挿通したねじで防水シート２４を圧縮しながらスピーカユニット１１を固定する。
【０００９】
この出願の発明に関する先行技術文献としては次のものがある。
【特許文献１】特開平１０−７６８８３号
【発明の開示】
【発明が解決しようとする課題】
【００１０】
上述のスピーカユニットの取付構造では、スピーカユニット１１が締結された状態では図８で示すように防水シート２４が所定の厚みまで圧縮され、圧縮された防水シート２４の厚みにより取付部３３が傾斜した状態で締結されるので、スピーカフレーム３０に歪が加わり、図８で示すようにスピーカフレーム３０や振動板１５が変形したりボイスコイル１８の位置ずれなどが発生し、音質の悪化や異音の発生などによりスピーカの性能不良の原因となるおそれがある。また、図８の改善策として図９で示すように取付部３３の先端部に、圧縮された防水シート２４の厚さに対応する高さで、リブ２６を設ける方法がとられる場合がある。この場合でも相手側の取付面の状態により改善の効果が異なる。例えば、取付面が平面の場合には改善の効果はあると思われるが、取付面に凹凸や波状のうねりなどがあると上述の図８と同じように歪が発生し、音質の悪化や異音の発生などによりスピーカの性能不良の原因となるおそれがある。
【００１１】
尚、本件に関する先行技術文献として特許文献１が開示されている。その内容は、スピーカのフランジの全周に配置されたスポンジゴムが設けられていない耳部の取付面に、圧縮されたスポンジゴムの厚さに対応する高さで、ねじ止め用の取付座を形成したものであり、スポンジゴムのコスト低減を目的にしたものである。しかし、相手側の取付面の状態（例えば、凹凸や波状のうねりなど）が悪い場合には、締結部に歪が発生しスピーカ本体内部に悪影響を与える可能性がある。
【００１２】
本発明は上述の問題を解決するもので、スピーカユニットを相手側部材に取付ける際に発生する歪を締結部で吸収し、スピーカフレームや振動板の変形またはボイスコイルの位置ずれなどが発生するのを防止することのできるスピーカユニットの取付構造を提供することを目的とする。
【課題を解決するための手段】
【００１３】
本発明は上述の目的を達成するもので、相手側部材の開口縁部とスピーカフレームのフランジ部との間に弾性シート部品を挟み、該フランジ部から外周方向へ延在する締結部から該相手側部材に挿通した締結部材によって、該弾性シート部品を圧縮しながらスピーカを固定するスピーカユニットの取付構造において、前記締結部には、前記締結部材が挿通する取付孔周辺部の締結面側に締結歪吸収手段が設けられていることを特徴とするものである。
【００１４】
また、前記締結歪吸収手段は、前記取付孔を囲うように前記締結面側より突出する突出部が前記締結部と一体形成されていることを特徴とするものである。
【００１５】
また、前記突出部は、所定の圧力が加わると該突出部が弾性変形もしくは一部が圧壊するように形成されていることを特徴とするものである。
【００１６】
また、前記突出部の背面側には、該突出部に所定の圧力が加わると該突出部が弾性変形するように凹部が形成されていることを特徴とするものである。
【００１７】
また、前記突出部は、舌状の突出部で前記締結部と一体形成されていることを特徴とするものである。
【００１８】
また、前記突出部は、前記弾性シート部品が圧縮された状態で前記相手側部材に当接してなることを特徴とするものである。
【００１９】
また、前記締結歪吸収手段は、前記弾性シート部品と同質で同じ厚みのシート部材で形成されたスペーサであることを特徴とするものである。
【発明の効果】
【００２０】
以上説明したように本発明によれば、スピーカユニットを相手側部材に取付ける際に締結部に発生する歪を締結部で吸収し、スピーカフレームや振動板の変形またはボイスコイルの位置ずれなどが発生するのを防止することができる。
【発明を実施するための最良の形態】
【００２１】
本発明は、スピーカユニットを相手側部材に締結する際に、取付部に発生する歪を取付部で吸収できるようにしたスピーカユニットである。以下に本発明の適用事例の一部を図１乃至図６を用いて説明する。
（実施の形態１）
本発明の実施の形態１を図１、図２および図３を用いて説明する。図１は本発明の実施の形態１のスピーカユニットの取付構造を示す概略図で、（ａ）断面図、（ｂ）Ｆ矢視図である。図２は実施の形態１のスピーカユニットの取付部を示す拡大図で、（ａ）当接面視図、（ｂ）Ａ−Ａ断面図、（ｃ）別の突出部の当接面視図、（ｄ）Ｂ−Ｂ断面図である。図３は図２と異なる取付部を示す当接面視拡大図で、（ａ）二重円突出部、（ｂ）方形突出部、（ｃ）コ形突出部、（ｄ）放射形突出部、（ｅ）点形突出部である。尚、本発明のスピーカユニットは、スピーカフレームの取付部に関連する構成部品以外は従来のスピーカユニットと略同じであり、背景技術で説明したので、同じ構成については従来のスピーカユニットと同じ符号を付し説明を省略または簡略説明とし、発明に関する部分を重点に説明する。
【００２２】
１０はスピーカユニットで、図１で示すように振動板１５、ボイスコイル１８、ダンパ２０、スピーカフレーム３０および磁気回路部２３などにより構成されている。
【００２３】
スピーカフレーム３０は、エッジ１９とダンパ２０の二つの弾性部材で振動板１５を保持する部分で、円錐筒状に近い形状をしており、終端部は磁気回路部２３のトッププレートの上面に固着されている。また、円錐筒状の外側を囲うように前面開口部より円筒状の防水部３１が形成されており、防水部３１の開口部より外側方向にフランジ部３２が形成され、さらに、フランジ部３２の外周縁部より延在する取付部４０が複数個所（通常３箇所）設けられ、相手側部材への取付孔４１が形成されている。取付部４０の取付孔４１の外周部には、相手側部材への当接面側に突出する環状の突出部４２、４３（締結歪吸収手段に相当）が形成されている。尚、突出部４２の断面形状は図２に示すように四角形または三角形であり、突出部４２、４３の高さＨは後述する防水シート２４（弾性シート部品に相当）が圧縮された状態の厚みよりもやや高い目に形成されている。突出部４２、４３に所定の圧力が加わると突出部４２、４３は弾性変形もしくは一部が圧壊するようになっている。
【００２４】
その他に、例えば図３の（ａ）乃至（ｅ）に示すような形状に突出部００を突出させることもできる。（ａ）は取付孔４１の外周部に二重に設けた二重円突出部４４、（ｂ）は取付孔４１の外周部に設けた方形突出部４５、（ｃ）は取付孔４１の外周部に囲うように設けたコ形突出部４６、（ｄ）は取付孔４１の外周部に放射状に設けた放射形突出部４７、（ｅ）は取付孔４１の外周部に点状に設けた点形突出部４８である。尚、（ａ）乃至（ｄ）の突出部断面形状および高さＨの寸法は図２の説明に準ずるものとする。但し、（ｅ）の点形突出部４８の形状については、例えば円柱、円錐、角柱、角錐などの突出部を必要な個所に立設させるものとし、その他は図２の説明に準ずるものとする。
【００２５】
次に、スピーカユニットの取り付けについて説明する。
【００２６】
スピーカユニット１０を例えば車両のドア内部に取り付ける場合には、図１で示すようにスピーカユニット１０を水滴から保護する防水対策が必要となので、ドアのインナーパネル２５に開口した開口縁部とスピーカフレーム３０のフランジ部３２の開口縁部との間に、防水シート２４を挟み、フランジ部３２の外周縁部より延在する取付部４０の取付孔４１からインナーパネル２５に挿通したねじで防水シート２４を圧縮しながらスピーカユニット１０を固定する。
【００２７】
以上説明したように、本発明の実施の形態１のスピーカユニットの取付構造によれば、スピーカユニット１０の取付部４０の取付孔４１の外周部に環状の突出部４２または４３が形成されており、突出部４２、４３に所定の圧力が加わると突出部４２、４３は弾性変形もしくは一部が圧壊するようになっているので、防水シート２４の圧縮状態に合わせて突出部４２、４３の高さも変化する。したがって、取付部４０が取付け面に対して平行状態が常に保てるので、スピーカフレーム３０の変形につながるような締結歪の発生を防止すると共に、その他の歪についても締結部で吸収することができる。
【００２８】
尚、本発明の実施の形態１では車両のドア内部に取り付ける場合について説明したが、これに限らず、相手側部材の取付面とスピーカユニット１０のフランジ部３２との間に、防水目的以外の例えば防振、防塵などの目的に弾性体部品を設けて締結する場合においても、本発明と同じ取付構造であれば本発明を適用することができる。
（実施の形態２）
本発明の実施の形態２を図４を用いて説明する。図４は本発明の実施の形態２のスピーカユニットの取付部を示す拡大図で、（ａ）当接面視図、（ｂ）Ｃ−Ｃ断面図である。尚、実施の形態２は実施の形態１の一部を変更したものであり、実施の形態１と同じ構成については同じ符号を付し説明を省略する。
【００２９】
４０はスピーカユニット１０の取付部で、取付部４０に設けられた取付孔４１の外周部には当接面側に突出する環状の突出部５０が形成されており、図４に示すように断面形状が四角形であり、突出部５０の高さＨは防水シート２４の厚みと略同じ寸法に形成されている。突出部５０に所定の圧力が加わると突出部５０が弾性変形し易いように、突出部５０の背面側に断面形状がコ字形状をした環状の凹部５１が形成されている。尚、凹部５１の幅と深さの寸法を変えることにより、突出部５１の耐圧力を調整することができる。
【００３０】
以上説明したように、本発明の実施の形態２のスピーカユニットの取付構造によれば、突出部５０に所定の圧力が加わると突出部５０が凹部５１の方向へ沈み込むようになっているので、防水シート２４の圧縮状態に合わせて突出部５０の高さＨも変化する。したがって、実施の形態１と同じように、取付部４０が取付け面に対して平行状態が保てるので、スピーカフレーム３０の変形につながるような締結歪の発生を防止すると共に、その他の歪についても締結部で吸収することができる。その他に、実施の形態１で説明した突出部の背面側にも実施の形態２と同じように凹部を設けるようにしてもよい。
（実施の形態３）
本発明の実施の形態３を図５を用いて説明する。図５は本発明の実施の形態３のスピーカユニットの取付部を示す拡大図で、（ａ）当接面視図、（ｂ）Ｄ−Ｄ断面図である。尚、実施の形態３は実施の形態１の一部を変更したものであり、実施の形態１と同じ構成については同じ符号を付し説明を省略する。
【００３１】
４０はスピーカユニット１０の取付部で、取付部４０に設けられた取付孔４１から外周方向に向けてスリットが設けられ、スリット５４で分割された部分が当接面側に突出するように舌状突出部５３が形成されている。舌状突出部５３に所定の圧力が加わると舌状突出部５３が弾性変形し、防水シート２４の圧縮状態に合わせて舌状突出部５３の高さＨが変化する。尚、舌状突出部５３の長さ、突出角度、分割数および板の厚みなどを変えることにより、舌状突出部５３の耐圧力を調整することができる。
【００３２】
以上説明したように、本発明の実施の形態３のスピーカユニット１０の取付部４０によれば、舌状突出部５３が防水シート２４の圧縮状態に合わせて舌状突出部５３の高さＨも変化するので、実施の形態１と同じように、取付部４０が取付け面に対して常に平行状態が保てるので、スピーカフレーム３０の変形につながるような締結歪の発生を防止すると共に、その他の歪についても締結部で吸収することができる。
（実施の形態４）
本発明の実施の形態４を図６を用いて説明する。図６は本発明の実施の形態４のスピーカユニットの取付部を示す概略図で、（ａ）締結部断面図、（ｂ）スペーサ平面拡大図、（ｃ）スペーサ断面図である。尚、実施の形態２は実施の形態１の一部を変更したものであり、実施の形態１と同じ構成については同じ符号を付し説明を省略する。
【００３３】
５５はスペーサで、スペーサ５５の材料には防水シート２４と同じ部材（材質、厚み寸法が同じ）が用いられ環状に形成されている。また、スピーカユニット１０をインナーパネル２５に取付ける場合には、フランジ部３２とインナーパネル２５との間に設けられた防水シート２４を圧縮するのに、インナーパネル２５と取付部３５との間に設けられたスペーサ５５にねじを挿通し、防水シート２４とスペーサ５５とを圧縮しながら締結する。
【００３４】
以上説明したように、本発明の実施の形態４のスピーカユニット１０の締結部に、防水シート２４と同じ部材で形成されたスペーサ５５が用いられているので、締結時にスペーサ５５と防水シート２４とが平行して圧縮されるので、前述の実施の形態と同じように取付部３５がインナーパネル２５の取付け面に対して常に平行状態が保てるので、スピーカフレーム３０の変形につながるような締結歪の発生を防止すると共に、その他の歪についても締結部で吸収することができる。
【００３５】
その他に、実施の形態４ではスペーサ５５を用いたが、これに限らず防水シート２４の圧縮に対応できる部品、例えば皿ばねなどを用いることもできる。
【図面の簡単な説明】
【００３６】
【図１】本発明の実施の形態１のスピーカユニットの取付構造を示す概略図でである。
【図２】実施の形態１のスピーカユニットの取付部を示す拡大図である。
【図３】図２と異なる取付部を示す当接面視拡大図である。
【図４】本発明の実施の形態２のスピーカユニットの取付部を示す拡大図である。
【図５】本発明の実施の形態３のスピーカユニットの締取付を示す拡大図である。
【図６】本発明の実施の形態４のスピーカユニットの取付部を示す概略図である。
【図７】従来のスピーカユニットの取付構造を示す概略断面図（締結前）である。
【図８】従来のスピーカユニットの取付構造を示す概略断面図（締結後）である。
【図９】従来の別のスピーカユニットの取付構造の要部を示す概略断面図である。
【符号の説明】
【００３７】
１０・・・スピーカユニット
１５・・・振動板
１７・・・ボイスコイルボビン
１８・・・ボイスコイル
１９・・・エッジ
２０・・・ダンパ
２３・・・回路部
２４・・・防水シート
２５・・・インナーパネル
３０・・・スピーカフレーム
３１・・・防水部
３２・・・フランジ部
３５、４０・・・取付部
４１・・・取付孔
４２、４３、５０・・・突出部
４４・・・二重円突出部
４５・・・方形突出部
４６・・・コ形突出部
４７・・・放射形突出部
４８・・・点形突出部
５１・・・凹部
５３・・・舌状突出部
５４・・・スリット
５５・・・スペーサ
【図１】
2007097070.tif 000003
【図２】
2007097070.tif 000004
【図３】
2007097070.tif 000005
【図４】
2007097070.tif 000006
【図５】
2007097070.tif 000007
【図６】
2007097070.tif 000008
【図７】
2007097070.tif 000009
【図８】
2007097070.tif 000010
【図９】
2007097070.tif 000011